(57)【特許請求の範囲】
【請求項１】
鍵で施錠可能な扉体を有する本体内に着脱可能なカード収納部が複数個並設され、これらカード収納部に収納されるカードを発行するカード発行装置において、
前記本体内に配置され、前記各カード収納部の着脱或いは開放を一括して許容する許容位置と着脱或いは開放を一括して阻止する阻止位置との間を移動可能に支持される阻止部材と、
この阻止部材を阻止位置において前記扉体とは別の鍵で施錠する内部施錠手段と、
前記阻止部材の位置を検知する位置検知手段と、
前記扉体の開閉を検知する扉体開閉検知部と、
前記扉体の開放により操作可能となる係員操作部と、
前記位置検知手段で前記阻止部材が阻止位置にあることを検知している状態にて前記扉体開閉検知部で閉検知した場合にカードの発行を許容し、前記位置検知手段で前記阻止部材が許容位置にあることを検知している状態にて前記扉体開閉検知部で閉検知した場合にカードの発行を禁止するカード発行許容手段と、
前記扉体開閉検知部にて開検知した状態で、前記位置検知手段で前記阻止部材が許容位置にあることを検知している状態にあれば前記係員操作部の操作によるカードのテスト発行を許容し、前記位置検知手段で前記阻止部材が阻止位置にあることを検知している状態にあればカードのテスト発行を不可とするテスト発行許容手段と
を具備していることを特徴とするカード発行装置。
【発明の詳細な説明】
【０００１】
【発明の属する技術分野】
本発明は、カードを発行するカード発行装置に関する。
【０００２】
【従来の技術】
従来、カード発行装置としては、例えばカードを販売するカード販売機がある。このカード販売機は、扉体を有する本体を備え、この本体内に、投入される貨幣を処理する貨幣処理ユニット、カードを収納しかつ発行するカード収納払出ユニット、係員が操作する係員用操作ユニットなどの各ユニットが配置されている。
【０００３】
本体の扉体には錠機構が設けられており、鍵を使って錠機構を解錠した後に扉体を開いて、本体内の各ユニットのメンテナンスが可能としている。
【０００４】
カード販売機の内部のメンテナンスには、貨幣やカードの収集や回収というように有価物の取り扱いを伴う作業や、売上データの収集やカード販売機の内部の清掃といった有価物の取り扱いを伴わない作業がある。
【０００５】
【発明が解決しようとする課題】
ところで、カード販売機の内部のメンテナンス作業のうち、有価物を取り扱う作業は資格を有する管理者などが行い、有価物の取り扱いを伴わない作業は一般係員でも行えることが好ましいが、扉体を解錠して開放すれば、カード販売機内のどのユニットにも触れることができる状態になる。
【０００６】
そのため、一般係員によってカード収納払出ユニットからカードの抜き取りが可能になる問題がある。
【０００７】
本発明は、このような点に鑑みなされたもので、本体の扉体を解錠、開放した状態であっても、カードの抜き取りを防止できるカード発行装置を提供することを目的とする。
【０００８】
【課題を解決するための手段】
請求項１記載のカード発行装置は、鍵で施錠可能な扉体を有する本体内に着脱可能なカード収納部が複数個並設され、これらカード収納部に収納されるカードを発行するカード発行装置において、前記本体内に配置され、前記各カード収納部の着脱或いは開放を一括して許容する許容位置と着脱或いは開放を一括して阻止する阻止位置との間を移動可能に支持される阻止部材と、この阻止部材を阻止位置において前記扉体とは別の鍵で施錠する内部施錠手段と、前記阻止部材の位置を検知する位置検知手段と、前記扉体の開閉を検知する扉体開閉検知部と、前記扉体の開放により操作可能となる係員操作部と、前記位置検知手段で前記阻止部材が阻止位置にあることを検知している状態にて前記扉体開閉検知部で閉検知した場合にカードの発行を許容し、前記位置検知手段で前記阻止部材が許容位置にあることを検知している状態にて前記扉体開閉検知部で閉検知した場合にカードの発行を禁止するカード発行許容手段と、前記扉体開閉検知部にて開検知した状態で、前記位置検知手段で前記阻止部材が許容位置にあることを検知している状態にあれば前記係員操作部の操作によるカードのテスト発行を許容し、前記位置検知手段で前記阻止部材が阻止位置にあることを検知している状態にあればカードのテスト発行を不可とするテスト発行許容手段とを具備しているものである。
【０００９】
そして、この構成では、カード発行時、カード発行待機時、カード収納部を着脱或いは開放しないメンテナンス時などの通常時には、扉体を解錠、開放した状態であっても、阻止部材によってカード収納部の着脱或いは開放を阻止するため、内部施錠手段を解錠できない者は、カードに関係のない本体内のメンテナンスは可能であるが、カード収納部を取り外し或いは開放することはできない。カード収納部を着脱或いは開放する際には、内部施錠手段を解錠できる者により、内部施錠手段を解錠操作して阻止部材を許容位置へ移動し、カード収納部を着脱或いは開放する。阻止部材を許容位置へ移動させれば、並設される複数のカード収納部の着脱或いは開放を一括して許容し、また、阻止部材を阻止位置へ移動させれば、並設される複数のカード収納部の着脱或いは開放を一括して阻止する。また、阻止部材が阻止位置にあることを条件にカードの発行を許容し、阻止部材が阻止位置になければカードの発行を許容しない。また、阻止部材が許容位置にあればカードのテスト発行を許容し、阻止部材が許容位置になければカードのテスト発行を許容しない。阻止部材を許容位置に移動させるには内部施錠手段を解除しなければならず、したがって、カードのテスト発行は内部施錠手段を解除できる者に限られ、内部施錠手段を解錠できない者は、阻止部材を許容位置に移動できず、カードのテスト発行処理をできない。
【００１０】
【発明の実施の形態】
以下、本発明の一実施の形態を図面を参照して説明する。
【００１１】
図２にカード発行装置を適用したカード販売機の正面図を示し、カード販売機11では、紙幣を受け入れてテレホンカードやプリペイドカードなどのカードを販売する。
【００１２】
カード販売機11は、本体12とこの本体12の前面に開閉可能に取り付けられた扉体13とを有し、扉体13は本体12に対する閉鎖位置において外部施錠手段14によって施錠される。外部施錠手段14は図示しない外部用キーによって解錠される。
【００１３】
扉体13の前面には、複数のカード見本を展示する陳列部を兼用する電照部15、購入しようとするカードを選択する選択ボタン16、購入したカードが出るカード出口17、１０００円、２０００円、５０００円、１００００円の各紙幣が投入可能でかつ釣銭として１０００円の紙幣が払い出される紙幣入出口18、投入金額や取扱金種などを表示するガイダンス表示部19、紙幣の投入後に購入を取り消す場合の取消を指示する取消ボタン20、領収書の発行を指示する領収書発行ボタン21、領収書を払い出す領収書出口22が形成されている。
【００１４】
次に、図１にカード販売機11の扉体13を開放した正面図を示す。
【００１５】
本体12内には、カードを収納しかつ発行するカード発行装置23、カード販売機11を制御する制御部24、外部と通信する外部通信部25、紙幣を入出金処理する紙幣処理部26、領収書を印字出力するプリンタ部27、電源を供給する電源部28などが配設されている。
【００１６】
扉体13の内側には、電照部15の裏面位置に係員によって操作される係員操作部29および係員操作に対応した表示をする係員表示部30が配設され、さらに、扉体13がこじ開けられた場合にブザーを発する防盗ブザー31などが配設されている。
【００１７】
カード発行装置23は、カードを種類別に収納するカード収納部としての複数のカード収納カセット34、これら各カード収納カセット34が装着されてカード収納カセット34内のカードを１枚ずつ発行するカード発行手段であってカード収納カセット34内のカードを１枚ずつ繰り出すカード繰出部35、このカード繰出部35に装着したカード収納カセット34の着脱および開閉を阻止するための阻止機構36を備えている。各カード繰出部35は、本体12内に水平に設置される棚37上に並設して固定されている。
【００１８】
次に、図３にカード発行装置23の正面図、図４にカード発行装置23の側面図を示す。
【００１９】
各カード繰出部35は、棚37上に固定されるフレーム40を有し、このフレーム40の上面にカード収納カセット34の下部を上方から着脱可能に装着して保持する凹形のカセット装着部41が設けられている。このカセット装着部41は、カード収納カセット34の下面を載置する載置部42、この載置部42の正面から見て左右の両側に立設されてカード収納カセット34のカード繰出方向と交差する両側である左右方向の両側位置を位置決めする両側の側板43、載置部42の前側に立設されカード収納カセット34のカード繰出方向に対応した前面の位置を位置決めする段部44、および載置部42の後側に斜め前方からのカード収納カセット34の着脱を許容するとともに装着状態でカード収納カセット34の後面の位置を位置決めする図示しないガイド部を備えている。
【００２０】
各カード繰出部35は、カセット装着部41に装着されたカード収納カセット34内のカードを１枚ずつカード繰出方向である前方へ繰り出す繰出機構50、およびこの繰出機構50によって前方へ繰り出されたカードを前方のカード出口17へ向けて搬送する搬送機構51を有している。
【００２１】
繰出機構50は、カード繰出方向に対応した前後方向に往復移動する繰出部材52を有し、この繰出部材52の上部がカセット装着部41に装着されたカード収納カセット34内に侵入可能とし、繰出部材52の上部後端にカード収納カセット34内に収納された最下位の１枚のカードに引っ掛かる引掛部53が形成されている。繰出部材52にはリンク54の一端が回転可能に連結され、リンク54の他端がフレーム40に回転可能に軸支されたカムギヤ55の中心から外周側にずれた位置に回転可能に連結されている。カムギヤ55にはギヤ56が噛合され、このギヤ56が繰出用モータ57によって回転駆動される。そして、繰出部材52は、引掛部53がカード収納カセット34内に収納されたカードより後方にある位置を待機位置とし、カムギヤ55の回転に伴って待機位置から前方へ移動し、引掛部53で最下位の１枚のカードを引っ掛けて前方へ繰り出し、カムギヤ55の１回転で待機位置に復帰して停止する。
【００２２】
搬送機構51は、カセット装着部41の前方位置の上下に配置されて繰出機構50によってカード収納カセット34内から繰り出されるカードを挟持して搬送する対の搬送ローラ58，59、およびこれら対の搬送ローラ58，59間から前方へ延設されて搬送するカードの下面を支える通路板60を有している。下側の搬送ローラ59と同軸に設けられたプーリ61とフレーム40に回転可能に設けられたプーリ62との間に無端状の伝達ベルト63が張設され、プーリ62が搬送用モータ64によって回転駆動される。
【００２３】
カセット装着部41の下側にはエンプティ検知部65が配置され、このエンプティ検知部65の検知レバー66がカセット装着部41に装着されたカード収納カセット34内に進退可能とし、カードが収納されているときにカードで検知レバー66が押し下げられてカード有りを検知し、カードがなくなったときに検知レバー66が上方へ突出してカード無しを検知する。
【００２４】
また、カード収納カセット34は、箱状のカセット本体70、およびこのカセット本体70の前面上部域に形成される図示しないカード装填用開口を開閉可能な開閉扉71を有し、カセット本体70内にはカード装填用開口を通じて複数枚のカードが水平姿勢で上下方向に集積収納される。カセット本体70の底面には、カセット装着部41に装着した際に、繰出部材52が挿通されるとともに前後方向に移動可能とする溝部やエンプティ検知部65の検知レバー66が挿通される図示しない溝部が形成されている。カセット本体70の前面下端位置には、繰出機構50によってカードが１枚ずつ繰り出されるカード繰出口72が形成されている。
【００２５】
開閉扉71は、一側であって正面から見て左側が蝶番73によってカセット本体70に回動可能に支持され、他側であって正面から見て右側に開閉扉71を開閉操作する摘み部74が形成されている。カセット本体70には、開閉扉71の閉止状態で着脱可能に係止する係止部75が設けられている。
【００２６】
また、阻止機構36は、阻止部材としてのカバー部材80を有し、このカバー部材80が複数のカード収納カセット34の装着位置の上方にわたって配置されている。カバー部材80は、複数のカード収納カセット34の上側を覆う着脱阻止部としての上側カバー部81、この上側カバー部81の両側から折曲された側面部82、上側カバー部81の前縁に設けられた前側カバー部83を有している。カバー部材80は、両側面部82の後ろ寄り位置が支軸84によって本体12の両側の内壁面12aに回動可能に軸支されており、カード収納カセット34の上部を覆う略水平な阻止位置と、上方に回動された許容位置との間を移動可能としている。
【００２７】
カバー部材80が阻止位置をとることにより、上側カバー部81がカード収納カセット34の着脱を阻止するとともに、前側カバー部83がカード収納カセット34の前側に回り込んで開閉扉71の開閉を阻止する。前側カバー部83は、上側カバー部81から折曲されてカード収納カセット34の前側を覆う前面部85、およびこの前面部85からカード収納カセット34へ向けて折曲されて開閉扉71の開放を阻止する開閉阻止部86を有する断面略Ｌ字形に形成されている。
【００２８】
カバー部材80が許容位置をとることにより、カード収納カセット34の着脱およびその開閉扉71の開閉が可能となる。カバー部材80の許容位置は、本体12の内壁面12aに取り付けられた開き止め部材87に当接して規制される。
【００２９】
そして、カバー部材80の回動により、複数のカード収納カセット34の着脱およびその開閉扉71の開閉を一括して阻止、許容できる。
【００３０】
本体12の正面から見て左側の内壁面12aには例えばマイクロスイッチにて構成される位置検知手段88が配置されている。この位置検知手段88は、検知レバー89を有し、カバー部材80の阻止位置に移動することにより、カバー部材80の側面部82によって検知レバー89が押下されてオン状態となり、また、カバー部材80が阻止位置から上方へ引き起こされることにより、検知レバー89の押下が解除されてオフ状態になる。
【００３１】
カバー部材80の内側には、カバー部材80を阻止位置でロックするためのロック部材90が揺動可能に取り付けられている。このロック部材90は、断面略Ｌ字形の基部91、この基部91の両側から折曲された側面部92を有している。ロック部材90は、両側面部92がカバー部材80の両端近傍位置からカバー部材80の内側に切り起こされた支持片93に支軸94によって回動可能に支持されている。
【００３２】
カバー部材80の基部91の中央前側にはカバー部材80の前側カバー部83に形成された切欠部95を通じて突出する把手部96が形成され、基部91の中央後側には施錠受部97が突設されている。
【００３３】
カバー部材80の基部91の正面から見て左側の一端部の側面部92には、カバー部材80が阻止位置に移動することにより、本体12の内壁面12aに取り付けられた断面略Ｌ字形のフック受部98の水平部分に係合してカバー部材80の阻止位置から上方への回動を規制するフック部99が形成されている。このフック部98は、フック受部98の水平部分の下側に係合する係合部100、およびフック部98の先端から係合部100にかけて傾斜状でカバー部材80を阻止位置に回動させる際にフック受部98に当接して係合部100がフック受部98に係合するようにガイドするガイド部101が形成されている。
【００３４】
ロック部材90は、フック部99がフック受部98に係合するロック位置と、フック部99がフック受部98から外れるロック解除位置との間で移動可能とし、フック部99がフック受部98に係合する方向つまり図４では反時計回り方向に図示しないねじりばねなどの付勢手段によって付勢されている。
【００３５】
カバー部材80の中央には、ロック部材90を介してカバー部材80を阻止位置に施錠する内部施錠手段102の錠機構103が取り付けられている。この錠機構103は、内部用キー104によって施錠および解錠操作されるシリンダ105を有し、カバー部材80の外側に位置するシリンダ105の外端側に内部用キー104を差し込み操作する図示しないキー孔が形成され、カバー部材80の内側に位置するシリンダ105の内端側に施錠板106が取り付けられている。そして、カバー部材80が阻止位置にあって、かつロック部材90がロック位置にあるときに、内部用キー104を施錠操作すれば、施錠板106が施錠受部97に係合する位置に移動して、ロック部材90をロック位置に係止し、また、内部用キー104を解錠操作すれば、施錠板106が施錠受部97に係合する位置から外れ、ロック部材90が回動可能となり、フック部99をフック受部98から外すことでカバー部材80を阻止位置から許容位置へ向けて引き起こすことができる。
【００３６】
次に、図５にカード販売機11のブロック図を示す。
【００３７】
カード販売機11を制御する制御部24には、電照部15、ガイダンス表示部19、複数の選択ボタン16、取消ボタン20、領収書発行ボタン21、プリンタ部27、位置検知手段88、係員操作部29、紙幣処理部26、複数のカード繰出部35、扉体開閉検知部109、防盗ブザー31、電源部28、および外部通信部25が接続されている。選択ボタン16は、選択ボタン16の押下操作を検知する押下検知部110、販売可や売切れなどを表示する表示部111を有している。扉体開閉検知部109は、本体12に対する扉体13の開閉を検知する。
【００３８】
制御部24は、位置検知手段88でカバー部材80が阻止位置にあることを検知していることを条件にカードの発行を許容するカード発行許容手段112の機能、位置検知手段88でカバー部材80が許容位置にあることを検知していることを条件にカードのテスト発行を許容するテスト発行許容手段113の機能を有している。
【００３９】
次に、本実施の形態の作用を説明する。
【００４０】
まず、カード収納カセット34内のカードに関係ないメンテナンス作業をする場合について説明する。このメンテナンス作業は、外部用キーを有していれば、管理者でも、一般係員でも可能とする。
【００４１】
外部用キーを使って外部施錠手段14を解錠し、扉体13を開放して、売上データの収集、レシート用紙の装填、清掃などといった所定のメンテナンス作業をする。
【００４２】
このとき、図６(c)に示すように、カバー部材80は阻止位置にあり、ロック部材90はフック部99がフック受部98に係合しているロック位置にあり、内部施錠手段102は施錠状態にあってロック部材90をロック位置に係止しているため、カバー部材80を阻止位置から許容位置へ引き上げることはできない。そのため、カード収納カセット34を取り外したり、その開閉扉71を開いたりすることはできず、カード収納カセット34内のカードの抜き取りはできない。
【００４３】
メンテナンス作業の終了後には、扉体13を閉じ、外部用キーを使って外部施錠手段14を施錠し、販売待機状態にする。
【００４４】
次に、カード収納カセット34内に対してカードを装填、回収するメンテナンス作業について説明する。このメンテナンス作業は、内部用キー104を持つ管理者のみが可能とする。
【００４５】
外部用キーを使って外部施錠手段14を解錠し、扉体13を開放する。
【００４６】
内部用キー104を使ってカバー部材80の内部施錠手段102の錠機構103を解錠し、ロック部材90の回動を許容する。
【００４７】
ロック部材90の把手部96を引き上げて、フック部99をフック受部98から外し、カバー部材80を阻止位置から許容位置へ引き上げる。
【００４８】
これにより、図６(a)(b)に示すように、複数個のカード収納カセット34について着脱およびその開閉扉71の開閉を許容されるため、所定の処理ができる。例えば、カード収納カセット34を取り外し、開閉扉71を開いて、カード収納カセット34内にカードを補充したり、カード収納カセット34内のカードを取り出して回収する。カードを補充する場合、少量のカードを補充するだけであれば、カード収納カセット34を外さずに装着状態のまま開閉扉71を開いて、カード収納カセット34内にカードを補充することもできる。あるいは、カード詰まりの発生時には、カード収納カセット34を取り外し、カードの詰まりを解除する。
【００４９】
所定の処理の終了後、外したカード収納カセット34は装填し、開いた開閉扉71は閉じ、カバー部材80を許容位置から阻止位置に戻せば、フック部99がフック受部98に係合し、カバー部材80が固定される。
【００５０】
内部用キー104を使ってカバー部材80の内部施錠手段102の錠機構103を施錠し、扉体13を閉じ、外部用キーを使って外部施錠手段14を施錠し、販売待機状態にする。
【００５１】
このように、扉体13を解錠、開放した状態であっても、カバー部材80によってカード収納カセット34の着脱およびカード収納カセット34の開閉扉71の開放を阻止するため、内部施錠手段102を解錠できない者は、カードに関係のない本体12内のメンテナンスは可能であるが、カード収納カセット34を取り外したりカード収納カセット34の開閉扉71を開放することはできず、カードの抜き取りを防止できる。しかも、並設される複数のカード収納カセット34の着脱およびカード収納カセット34の開閉扉71の開放の阻止と許容とを一括してでき、操作性を容易にできる。
【００５２】
また、カバー部材80が阻止位置に戻されない状態で、扉体13が閉じられた場合、すなわち、位置検知手段88でカバー部材80が阻止位置にあることを検知していない状態で、扉体開閉検知部109で扉体13の閉鎖を検知した場合に、カードの販売を禁止する販売禁止状態になる。この販売禁止状態では、選択ボタン16に「売切」を表示し、ガイダンス表示部19に「販売不可」を表示し、貨幣を受け付けない。なお、扉体13の閉鎖が検知された時点で防盗ブザー31を鳴らすことにより、係員に注意を促すようにしてもよい。
【００５３】
このように、カバー部材80が阻止位置にあることを検知していることを条件にカードの発行を許容するため、カバー部材80が阻止位置になければカードを発行せず、カバー部材80の阻止位置への戻し忘れを防止できる。
【００５４】
次に、テスト発行処理について説明する。
【００５５】
外部用キーを使って外部施錠手段14を解錠し、扉体13を開放する。
【００５６】
内部用キー104を使ってカバー部材80の内部施錠手段102の錠機構103を解錠し、ロック部材90の回動を許容する。
【００５７】
ロック部材90の把手部96を引いて、フック部99をフック受部98から外し、カバー部材80を阻止位置から許容位置へ引き上げる。カバー部材80を阻止位置から許容位置への移動が、位置検知手段88によって検知される。
【００５８】
係員操作部29を操作し、指定する繰出機構50を動作させてカードを繰り出させ、テスト発行する。
【００５９】
カバー部材80が阻止位置にあることを位置検知手段88によって検知している状態では、テスト発行処理を実行不可とする。そのため、カバー部材80を回動できる者、即ち内部施錠手段102の内部用キー104を持つ管理者だけが、テスト発行処理を実行可能とする。従って、一般係員が、このテスト発行処理を悪用してカードを入手することはできない。
【００６０】
このように、カバー部材80が許容位置にあることを検知していることを条件にカードのテスト発行を許容するため、内部施錠手段102を解錠してカバー部材80を許容位置に移動させることができない者は、カードのテスト発行処理はできず、テスト発行処理を利用したカードの入手を防止できる。
【００６１】
また、カードの販売動作について説明する。
【００６２】
購入しようとするカードの金額分以上の紙幣を紙幣入出口に投入することにより、選択ボタン16の表示部111で販売可能が表示される。選択ボタン16を押下操作することにより、選択された繰出機構50が作動され、カード収納カセット34内に収納されている最下位の１枚のカードがカード収納カセット34のカード繰出口72から繰り出され、搬送機構51の搬送ローラ58，59でカードが挟持されてカード出口17に搬送されて払い出される。
【００６３】
釣銭がある場合には、紙幣入出口18に釣銭紙幣が払い出される。領収書ボタン21が押下操作された場合には、領収書が印字されて領収書出口22から払い出される。
【００６４】
なお、前記実施の形態では、カバー部材が回動して阻止位置と許容位置との間を移動可能としたが、回動に限らず、カバー部材がスライドして阻止位置と許容位置との間を移動可能に構成しても、同様の作用効果が得られる。
【００６５】
【発明の効果】
請求項１記載のカード発行装置によれば、扉体を解錠、開放した状態であっても、阻止部材によってカード収納部の着脱或いは開放を阻止するため、内部施錠手段を解錠できない者は、カードに関係のない本体内のメンテナンスは可能であるが、カード収納部を取り外し或いは開放することはできず、カードの抜き取りを防止できる。しかも、並設される複数のカード収納部の着脱或いは開放の阻止と許容とを一括してでき、操作性を容易にできる。また、阻止部材が阻止位置にあることを検知していることを条件にカードの発行を許容するため、阻止部材が阻止位置になければカードを発行せず、阻止部材の阻止位置への戻し忘れを防止できる。また、阻止部材が許容位置にあることを検知していることを条件にカードのテスト発行を許容するため、内部施錠手段を解錠して阻止部材を許容位置に移動させることができない者は、カードのテスト発行処理はできず、テスト発行処理を利用したカードの入手を防止できる。
【図面の簡単な説明】
【図１】  本発明の一実施の形態を示すカード発行装置を適用したカード販売機の扉体を開放した正面図である。
【図２】  同上カード販売機の正面図である。
【図３】  同上カード発行装置の正面図である。
【図４】  同上カード発行装置の側面図である。
【図５】  同上カード販売機のブロック図である。
【図６】  同上カード発行装置を示し、(a)はカード収納部を取り外した状態の説明図、(b)はカード収納部を装着した状態の説明図、(c)はカード収納部の着脱および開閉を阻止した販売待機状態の説明図である。
【符号の説明】
12    本体
13    扉体
23    カード発行装置
29 係員操作部
34    カード収納部としてのカード収納カセット
80    阻止部材としてのカバー部材
88    位置検知手段
102   内部施錠手段
109 扉体開閉検知部
112   カード発行許容手段
113   テスト発行許容手段
【図１】
0004284035.tif 000002
【図２】
0004284035.tif 000003
【図３】
0004284035.tif 000004
【図４】
0004284035.tif 000005
【図５】
0004284035.tif 000006
【図６】
0004284035.tif 000007